【手続補正書】
【提出日】平成20年12月20日(2008.12.20)
【手続補正１】
【補正対象書類名】明細書
【補正対象項目名】０００２
【補正方法】変更
【補正の内容】
【０００２】
前記統合的アプローチと異なり、前記成分的アプローチでは、色彩の専門家が、色再現システムの色調再現と、グレーバランスと、色相／彩度の特性または属性との一意性について、別個に補正を行うことができる。これまで、色画像のデジタル化および編集において高品質な色分解をもたらすには、前記成分的アプローチの方が変化に対応でき、拡張可能な方針であることが示されており、装置間の色制御に関する業界パフォーマンスは、このアプローチで大幅に改善できると見なすことが妥当である。
この出願の発明に関連する先行技術文献情報としては、以下のものがある（国際出願日以降国際段階で引用された文献及び他国に国内移行した際に引用された文献を含む）。
【特許文献１】米国特許第３，９２６，１１７号明細書
【特許文献２】米国特許第３，９５１，６６８号明細書
【特許文献３】米国特許第４，５８２，４８５号明細書
【特許文献４】米国特許第４，６５６，９４１号明細書
【特許文献５】米国特許第４，６６５，４９６号明細書
【特許文献６】米国特許第４，７０６，２０６号明細書
【特許文献７】米国特許第４，７１７，９５４号明細書
【特許文献８】米国特許第４，８５２，４８５号明細書
【特許文献９】米国特許第４，８７８，９７７号明細書
【特許文献１０】米国特許第４，８８１，１８１号明細書
【特許文献１１】米国特許第４，９１８，６２２号明細書
【特許文献２２】米国特許第４，９２４，３２３号明細書
【特許文献１３】米国特許第４，９２６，２５４号明細書
【特許文献１４】米国特許第４，９４４，７４６号明細書
【特許文献１５】米国特許第４，９４７，７４６号明細書
【特許文献１６】米国特許第４，９５９，６５９号明細書
【特許文献１７】米国特許第４，９７５，８６２号明細書
【特許文献１８】米国特許第５，０６８，８１０号明細書
【特許文献１９】米国特許第５，１２２，９７７号明細書
【特許文献２０】米国特許第５，１６３，０１２号明細書
【特許文献２１】米国特許第５，２１２，７４１号明細書
【特許文献２２】米国特許第５，２２４，４２１号明細書
【特許文献２３】米国特許第５，２６８，７５４号明細書
【特許文献２４】米国特許第５，２９３，５３９号明細書
【特許文献２５】米国特許第５，３１５，３８０号明細書
【特許文献２６】米国特許第５，３１７，４２５号明細書
【特許文献２７】米国特許第５，３３３，０６９号明細書
【特許文献２８】米国特許第５，３４３，２３４号明細書
【特許文献２９】米国特許第５，３９８，１２１号明細書
【特許文献３０】米国特許第５，４３２，８９２号明細書
【特許文献３１】米国特許第５，４９１，５５８号明細書
【特許文献３２】米国特許第５，４９３，３２１号明細書
【特許文献３３】米国特許第５，５２８，３７７号明細書
【特許文献３４】米国特許第５，５４４，２８４号明細書
【特許文献３５】米国特許第５，５７２，３４０号明細書
【特許文献３６】米国特許第５，５７８，８２４号明細書
【特許文献３７】米国特許第５，５７９，０３１号明細書
【特許文献３８】米国特許第５，５７９，０４４号明細書
【特許文献３９】米国特許第５，５９６，５１０号明細書
【特許文献４０】米国特許第５，５９８，２７２号明細書
【特許文献４１】米国特許第５，６１５，２８２号明細書
【特許文献４２】米国特許第５，６３６，３３０号明細書
【特許文献４３】米国特許第５，６５０，９４２号明細書
【特許文献４４】米国特許第５，６７６，８８７号明細書
【特許文献４５】米国特許第５，６７７，９６７号明細書
【特許文献４６】米国特許第５，６８７，３００号明細書
【特許文献４７】米国特許第５，６８９，３４９号明細書
【特許文献４８】米国特許第５，７２１，８１１号明細書
【特許文献４９】米国特許第５，７３４，８００号明細書
【特許文献５０】米国特許第５，７４５，１２０号明細書
【特許文献５１】米国特許第５，７５４，４４８号明細書
【特許文献５２】米国特許第５，７６１，３２７号明細書
【特許文献５３】米国特許第５，７８１，２０６号明細書
【特許文献５４】米国特許第５，７８６，８２３号明細書
【特許文献５５】米国特許第５，８１６，１５１号明細書
【特許文献５６】米国特許第５，８３２，１０９号明細書
【特許文献５７】米国特許第５，８３５，２４４号明細書
【特許文献５８】米国特許第５，８４１，８９７号明細書
【特許文献５９】米国特許第５，８７０，５３０号明細書
【特許文献６０】米国特許第５，８７７，７８７号明細書
【特許文献６１】米国特許第５，８９２，８９１号明細書
【特許文献６２】米国特許第５，９３３，５７８号明細書
【特許文献６３】米国特許第５，９４７，０２９号明細書
【特許文献６４】米国特許第５，９５７，０４９号明細書
【特許文献６５】米国特許第５，９６７，０５０号明細書
【特許文献６６】米国特許第５，９９１，５１１号明細書
【特許文献６７】米国特許第５，９８８，０６７号明細書
【特許文献６８】米国特許第５，９９５，６５５号明細書
【特許文献６９】米国特許第６，０２７，２０１号明細書
【特許文献７０】米国特許第６，０４１，７０８号明細書
【特許文献７１】米国特許第６，０４３，９０９号明細書
【特許文献７２】米国特許第６，０６１，５０１号明細書
【特許文献７３】米国特許第６，１３７，５９４号明細書
【特許文献７４】米国特許第６，１５７，７３５号明細書
【特許文献７５】米国特許第６，１６０，９１２号明細書
【特許文献７６】米国特許第６，１９２，８０１号明細書
【特許文献７７】米国特許第６，２１５，５６１号明細書
【特許文献７８】米国特許第６，２１５，５６２号明細書
【特許文献７９】米国特許第６，２３０，６２２号明細書
【特許文献８０】米国特許第６，２８１，９８４号明細書
【特許文献８１】米国特許第６，３１３，９２５号明細書
【特許文献８２】米国特許第６，３０６，００７号明細書
【特許文献８３】米国特許第６，３７７，３６６号明細書
【特許文献８４】米国特許第６，４２９，９４７号明細書
【特許文献８５】米国特許第６，４４１，９２０号明細書
【特許文献８６】米国特許第６，４８３，６０７号明細書
【特許文献８７】米国特許第６，５１２，５９７号明細書
【特許文献８８】米国特許第６，５１９，０５５号明細書
【特許文献８９】米国特許第６，５２３，４６８号明細書
【特許文献９０】米国特許第６，５７５，０９５号明細書
【特許文献９１】米国特許第ＲＥ３８，１８０号明細書
【特許文献９２】米国特許第６，６１５，７２９号明細書
【特許文献９３】米国特許第６，６９８，８６０号明細書
【特許文献９４】米国特許第６，７５０，９９２号明細書
【特許文献９５】米国特許出願第２００３／０００２０６１第号明細書
【特許文献９６】米国特許出願第２００３／００７２０１６第号明細書
【特許文献９７】米国特許出願第２００３／００９８９８６第号明細書
【特許文献９８】米国特許出願第２００３／０１５６２９９第号明細書
【特許文献９９】米国特許出願第２００４／０１２５３８８第号明細書
【特許文献１００】米国特許出願第２００３／００８９２６２第号明細書
【特許文献１０１】米国特許出願第２００６／００８２８４４第号明細書
【特許文献１０２】米国特許出願第２００６／００７７２１０第号明細書
【特許文献１０３】米国特許第７，０５７，７６５号明細書
【特許文献１０４】米国特許第５，６８７，３００号明細書
【特許文献１０５】米国特許第６，７２５，７７２号明細書
【特許文献１０６】米国特許第５，９８２，９９０号明細書
【特許文献１０７】米国特許第６，４５９，５０１号明細書
【特許文献１０８】米国特許第６，２２９，５８０号明細書
【特許文献１０９】米国特許出願第２００５／０２８０８４７第号明細書
【特許文献１１０】米国特許第６，９４７，１７７号明細書
【特許文献１１１】日本国特開第６３−２５４４６９号明細書
【特許文献１１２】国際公開第０４／０１７２６１号明細書
【特許文献１１３】英国特許第２，２１３，６７４号明細書
【特許文献１１４】欧州特許第１，５３８，８２６号明細書
【非特許文献１】ＶＩＣＴＯＲ  ＯＳＴＲＯＭＯＵＫＨＯＶ，  Ｃｈｒｏｍａｔｉｃｉｔｙ  Ｇａｍｕｔ  Ｅｎｈａｎｃｅｍｅｎｔ  ｂｙ  Ｈｅｐｔａｔｏｎｅ  Ｍｕｌｔｉ−Ｃｏｌｏｒ  Ｐｒｉｎｔｉｎｇ，  ３１  Ｊａｎｕａｒｙ−４  Ｆｅｂｒｕａｒｙ  １９９３，  Ｐａｇｅｓ  １３９−１５１，  ＳＰＩＥ  Ｖｏｌ．  １９０９，  Ｓａｎ  Ｊｏｓｅ，  Ｃａｌｉｆｏｒｎｉａ，  ＵＳＡ
【非特許文献２】"Ｓｔｏｃｈａｓｔｉｃ  Ｓｃｒｅｅｎｉｎｇ"，  Ｐｒｏｍｏｔｉｏｎａｌ  ｍａｔｅｒｉａｌ  ｆｒｏｍ  ｗｅｂｓｉｔｅ  ｏｆ  Ｅｄｗａｒｄ  Ｅｎｔｅｒｐｒｉｓｅｓ，  Ｉｎｃ．  （(c)．  １９９５−１９９９）
【非特許文献３】ＳＷＯＰ  （Ｓｐｅｃｉｆｉｃａｔｉｏｎｓ  Ｗｅｂ  Ｏｆｆｓｅｔ  Ｐｕｂｌｉｃａｔｉｏｎｓ），  Ｅｉｇｈｔｈ  Ｅｄｉｔｉｏｎ，  ｂｙ  ＳＷＯＰ，  Ｉｎｃ．，  ＮＹ，  ＮＹ  （１９９７）
【非特許文献４】Ｄａｖｉｓ，  Ｍ．  ａｎｄ  Ｄａｖｉｓｏｎ，  Ｂ．，  "  Ｃａｌｃｕｌａｔｉｎｇ  ｔｈｅ  "Ｎｅｔ"  Ｅｆｆｅｃｔ，"  Ｐｕｂｌｉｓｈｉｎｇ  &  Ｐｒｏｄｕｃｔｉｏｎ  Ｅｘｅｃｕｔｉｖｅ，  ｐｐ．  ２５−３２  （Ａｕｇｕｓｔ  １９９７）
【非特許文献５】"Ｇｒａｐｈｉｃ  Ｔｅｃｈｎｏｌｏｇｙ"  Ｃｏｌｏｕｒ  ａｎｄ  ｔｒａｎｓｐａｒｅｎｃｙ  ｏｆ  ｉｎｋ  ｓｅｔｓ  ｆｏｒ  ｆｏｕｒ−ｃｏｌｏｕｒ−ｐｒｉｎｔｉｎｇ，"  Ｐａｒｔ  １：  Ｓｈｅｅｔ−ｆｅｄ  ａｎｄ  ｈｅａｔｓｅｔ  ｗｅｂ  ｏｆｆｓｅｔ  ｌｉｔｈｏｇｒａｐｈｉｃ  ｐｒｉｎｔｉｎｇ，  Ｉｎｔｅｒｎａｔｉｏｎａｌ  Ｓｔａｎｄａｒｄ  （ＩＳＯ  ２８４６−１：  １９９７（Ｅ）），  ｆｉｒｓｔ  Ｅｄｉｔｉｏｎ，  ｐｐ．  １−１９
【非特許文献６】Ｍｏｒｅｔｔａ，  Ｒ．，  "Ｐｒｏｃｅｓｓ  Ｗｏｒｋｆｌｏｗ  Ｗｈｉｔｅ  Ｐａｐｅｒ，  Ｔｈｅ  ｅａｓｉｅｓｔ  ｗａｙ  ｔｏ  ａｃｈｉｅｖｅ  ｂｒｉｌｌｉａｎｔ  ｒｅｓｕｌｔｓ，"  ＰＡＮＴＯＮＥ(r)  Ｈｅｘａｃｈｒｏｍｅ(r)  （Ｍａｒｃｈ  １９９８）
【非特許文献７】Ｔｈｅ  Ｃｏｌｏｒ  Ｇｕｉｄｅ  ａｎｄ  Ｇｌｏｓｓａｒｙ，  Ｘ−Ｒｉｔｅ，  Ｉｎｃｏｒｐｏｒａｔｅｄ，  Ｇｒａｎｄｖｉｌｌｅ，  Ｍｉｃｈｉｇａｎ  （１９９８）
【非特許文献８】Ａｄａｍｓ，  Ｒ．，  ａｎｄ  Ｒｏｍａｎｏ，  Ｆ．，  Ｃｏｍｐｕｔｅｒ−ｔｏ−Ｐｒｉｍｅｒ，  ＧＡＴＦ  Ｐｒｅｓｓ．  Ｐｉｔｔｓｂｕｒｇｈ  （１９９９）
【非特許文献９】Ｇｅｎｅｒａｌ  Ｒｅｑｕｉｒｅｍｅｎｔｓ  ｆｏｒ  Ａｐｐｌｉｃａｔｉｏｎｓ  ｉｎ  Ｏｆｆｓｅｔ  Ｌｉｔｈｏｇｒａｐｈｙ  （ＧＲＡＣｏ（登録商標）），  Ｖｅｒｓｉｏｎ  ３．０，  ｂｙ  Ｇｒａｐｈｉｃ  ｃｏｍｍｕｎｉｃａｔｉｏｎｓ  Ａｓｓｏｃｉａｔｉｏｎ
【非特許文献１０】Ｆｅｎｔｏｎ，  Ｈ．，  Ａｄａｐｔｉｏｎ  ｏｆ  ａｒｔｉｃｌｅ  "Ｐｒｏｃｅｓｓ  Ｃｏｎｔｒｏｌ：  Ｍｉｓｓｉｎｇ  ＬＩＮＫ  Ｉｎ"，  Ｇｒａｐｈｉｃ  Ａｒｔｓ  Ｍｏｎｔｈｌｙ／ｗｗｗ．ｇａｍｍａｇ．ｃｏｍ，  ｐｐ．  ６４−７０（１０／９９）
【非特許文献１１】"Ｓｔａｃｃａｔｏ  Ｓｔｏｃｈａｓｔｉｃ  Ｓｃｒｅｅｎｉｎｇ  Ｔｅｃｈｎｏｌｏｇｙ，"  ｐｒｏｍｏｔｉｏｎａｌ  ｍａｔｅｒｉａｌ  ｆｒｏｍ  ｗｅｂｓｉｔｅ  ｏｆ  Ｃｒｅｏ  Ｐｒｏｄｕｃｔｓ，  Ｉｎｃ．（(c)２０００）
【非特許文献１２】Ｋｏｈｌｅｒ，  Ｔ．，  "ＩＣＣ  Ａｃｈｉｅｖｅｍｅｎｔｓ  ａｎｄ  ｃｈａｌｌｅｎｇｅｓ，"  ｆｒｏｍ  ｗｅｂｓｉｔｅ  Ｈｔｔｐ：／／２２２．ｃｏｌｏｒ．ｏｒｇ／ｉｃｃａｃｈ  １．ｈｔｍｌ  ｏｆ  Ｃａｎｏｎ  ｉｎｆｏｒｍａｔｉｏｎ  Ｓｙｓｔｅｍｓ
【非特許文献１３】"Ｈａｒｍｏｎｙ，  Ｆｌｅｘｉｂｌｅ  Ｄｏｔ  Ｇａｉｎ  Ｃａｌｉｂｒａｔｉｏｎ  Ｈａｒｍｏｎｙ  Ａｄｖａｎｔａｇｅｓ，"  ｐｒｏｍｏｔｉｏｎａｌ  ｍａｔｅｒｉａｌ  ｆｒｏｍ  ｗｅｂｓｉｔｅ  ｏｆ  Ｃｒｅｏ  Ｐｒｏｄｕｃｔｓ，  Ｉｎｃ．
【非特許文献１４】Ａｄｏｂｅ  Ｐｈｏｔｏｓｈｏｐ  ５．０  Ｕｓｅｒ  Ｇｕｉｄｅ  ｆｏｒ  Ｍａｃｉｎｔｏｓｈ  ａｎｄ  Ｗｉｎｄｏｗｓ（登録商標），  Ａｄｏｂｅ  Ｓｙｓｔｅｍｓ  Ｉｎｃｏｒｐｏｒａｔｅｄ，  １９９８，  ｐａｇｅ  １２７
【非特許文献１５】ＴＯＮＹ  ＪＯＨＮＳＯＮ，  "ａｎ  Ｅｆｆｅｃｔｉｖｅ  Ｃｏｌｏｕｒ  Ｍａｎａｇｅｍｅｎｔ  Ａｒｃｈｉｔｅｃｔｕｒｅ  ｆｏｒ  ｇｒａｐｈｉｃ  Ａｒｔｓ，"  Ｌｏｎｄｏｎ  Ｃｏｌｌｅｇｅ  ｏｆ  Ｐｒｉｎｔｉｎｇ，  ２０００，  １３  ｐａｇｅｓ
【非特許文献１６】ＧＡＲＹ  Ｇ．  Ｆｉｅｌｄ，  "Ｃｏｌｏｒ  ａｎｄ  ｉｔｓ  Ｒｅｐｒｏｄｕｃｔｉｏｎ，"  Ｇｒａｐｈｉｃ  Ａｒｔｓ  ｔｅｃｈｎｉｃａｌ  Ｆｏｕｎｄａｔｉｏｎ，  ２ｎｄ  ｅｄ．，  １９９９，  ｐａｇｅｓ  １９２−１９４，  ４０５−４０６
【非特許文献１７】Ｗｏｒｌｄ  Ｗｉｄｅ  Ｗｅｂ  ｈｔｔｐ：／／ｗｗｗ．ｗａｓａｔｃｈｉｎｃ．ｃｏｍ／ｄｉｇｉｇｒａｆｉｘ．ｇａｍｕｔ．ｈｔｍｌ，  "Ｃｏｌｏｒ  Ｇａｍｕｔ  ａｎｄ  Ｇａｍｕｔ  Ｍａｐｐｉｎｇ，"  ｐｒｉｎｔｅｄ  ｏｎ  １２／１１／００，  ３  ｐａｇｅｓ
【非特許文献１８】ＤＡＶＩＤ  ＭＣＤＯＷＥＬＬ，  ＥＴ  ＡＬ．，  "Ｔｏ  Ｃｈａｓｅ  ｔｈｅ  Ｐｒｅｓｓ，  …  ｏｒ  Ｎｏｔ  ｔｏ  Ｃｈａｓｅ  ｔｈｅ  Ｐｒｅｓｓ！"  ｔｈｅ  Ｐｒｅｐｒｅｓｓ  Ｂｕｌｌｅｔｉｎ，  Ｊｕｌｙ／Ａｕｇｕｓｔ，  １９９７，  ｐａｇｅｓ  １６−１８，  ２０
【非特許文献１９】Ｗｏｒｌｄ  Ｗｉｄｅ  Ｗｅｂ，  ｈｔｔｐ：／／ｗｗｗ．ｃｏｌｏｒ．ｏｒｇ／ｉｃｃａｃｈ  １．ｈｔｍｌ，  ＴＩＭ  ＫＯＨＬＥＲ，  "ＩＣＣ  Ａｃｈｉｅｖｅｍｅｎｔｓ  ａｎｄ  Ｃｈａｌｌｅｎｇｅｓ，"  ｐｒｉｎｔｅｄ  １１／１８／００，  ６  ｐａｇｅｓ
【非特許文献２０】Ｗｏｒｌｄ  ＷｉｄｅＷｅｂ，  ｈｔｔｐ：ｗｗｗ．ｃｏｌｏｒ．ｏｒｇ／ｗｐａｐｅｒ２．ｈｔｍｌ，  ＭＩＣＨＡＥＬ  ＨＡＳ，  ＥＴ  ＡＬ．，  "ｃｏｌｏｒ  Ｍａｎａｇｅｍｅｎｔ：  ｃｕｒｒｅｎｔ  Ｐｒａｃｔｉｃｅ  ａｎｄ  Ｔｈｅ  Ａｄｏｐｔｉｏｎ  ｏｆ  ａ  Ｎｅｗ  ｓＴａｎｄａｒｄ，"  ｐｒｉｎｔｅｄ  １１’／１８／００，  １５  ｐａｇｅｓ
【非特許文献２１】Ｗｏｒｌｄ  Ｗｉｄｅ  Ｗｅｂ，  ｈｔｔｐ：／／ｗｗｗ．ｃｏｌｏｒ．ｏｒｇ／ｐａｇｐｅｒｓ．ｈｔｍｌ，"  Ａｒｔｉｃｌｅｓ／ｐｕｂｌｉｃａｔｉｏｎｓ  Ａｂｏｕｔ  ＩＣＣ  Ｐｒｏｆｉｌｅｓ，  ｐｒｉｎｔｅｄ  １１／１８／００，  ２  ｐａｇｅｓ
【非特許文献２２】Ｇ．  Ｍａｒｃｕ，  Ｓ．  Ａｂｅ，  ｃｏｌｏｒ  Ｓｅｐａｒａｔｉｏｎ  ｆｏｒ  Ｐｒｉｎｔｉｎｇ  ｗｉｔｈ  Ｎｏｎ−Ｓｔａｎｄａｒｄ  Ｉｎｋｓ，  Ｎｏｖ．  １３−１６，  １９９４，  ＩＥＥＥ  Ｉｎｔｅｒｎａｔｉｏｎａｌ  ｃｏｎｆｅｒｅｎｃｅ，  Ｉｍａｇｅ  Ｐｒｏｃｅｓｓｉｎｇ，  Ｖｏｌ  ３，  ｐｐｓ．  １００２−１００５
【非特許文献２３】Ｔ．  Ｋｏｍａｔｓｕ，  Ｔ．  Ｓａｉｔｏ，  ｃｏｌｏｒ  Ｔｒａｎｓｆｏｒｍａｔｉｏｎ  ａｎｄ  Ｉｎｔｅｒｐｏｌａｔｉｏｎ  ｆｏｒ  Ｄｉｒｅｃｔ  Ｃｏｌｏｒ  Ｉｍａｇｉｎｇ  ｗｉｔｈ  ａ  Ｃｏｌｏｒ  Ｆｉｌｔｅｒ  Ａｒｒａｙ，  Ｏｃｔ．  ８−１１，  ２００６，  ＩＥＥＥ  Ｉｎｔｅｒｎａｔｉｏｎａｌ  ｃｏｎｆｅｒｅｎｃｅ，  Ｉｍａｇｅ  Ｐｒｏｃｅｓｓｉｎｇ，  ｐｐｓ．  ３３０１−３３０４
【非特許文献２４】Ｓｉｎｇｈ，  Ｐ．  Ａｇａｔｈｏｋｌｉｓ，  Ａ．  Ａｎｔｏｎｉｏｕ，  Ｌｏｓｓｌｅｓｓ  ｃｏｍｐｒｅｓｓｉｏｎ  ｏｆ  Ｃｏｌｏｒ  Ｉｍａｇｅｓ  Ｕｓｉｎｇ  ａｎ  Ｉｍｐｒｏｖｅｄ  Ｉｎｔｅｇｅｒ−Ｂａｓｅｄ  Ｎｏｎｌｉｎｅａｒ  Ｗａｖｅｌｅｔ  Ｔｒａｎｓｆｏｒｍ  Ｊｕｎｅ  ９−１２，  １９９７，  ＩＥＥＥ  Ｉｎｔｅｒｎａｔｉｏｎａｌ  Ｓｙｍｐｏｓｉｕｍ，  ｃｉｒｃｕｉｔｓ  ａｎｄ  Ｓｙｓｔｅｍｓ，  Ｖｏｌ  ４，  ｐｐｓ．  ２６０９−２６１２
【非特許文献２５】Ｉｎｔｅｒｎａｔｉｏｎａｌ  Ｓｅａｒｃｈ  Ｒｅｐｏｒｔ  ａｎｄ  Ｗｒｉｔｔｅｎ  Ｏｐｉｎｉｏｎ  ｏｆ  ｔｈｅ  ｉｎｔｅｒｎａｔｉｏｎａｌ  Ｓｅａｒｃｈｉｎｇ  Ａｕｔｈｏｒｉｔｙ  ｍａｉｌｅｄ  Ｊｕｎｅ  ９，  ２００６  ｆｏｒ  ＰＣＴ  Ａｐｐｌｉｃａｔｉｏｎ  Ｎｏ．  ＰＣＴ／ＵＳ２００６／０００４０４，  １１  ｐａｇｅｓ